(57)【要約】【課題】イオンの不均一化による表示不良を抑制し、表示品位および信頼性の高いＯＣＢモードの液晶表示装置を提供する。【解決手段】複数の表示画素ＰＸからなる表示部ＤＹＰを有する液晶表示パネルＰＮＬと、表示画素ＰＸを駆動する駆動部ＧＤ、ＳＤと、駆動部ＧＤ、ＳＤを制御する制御部ＣＴＲＬと、を有する液晶表示装置であって、第１基板は複数の表示画素ＰＸのそれぞれに対応して配置された画素電極ＰＥを有し、第２基板は複数の画素電極ＰＥに対向する対向電極を有し、複数の画素電極ＰＥおよび対向電極の上にそれぞれ配置され、ラビング処理によって液晶層ＬＱに含まれる液晶分子の配向状態を制御する一対の配向膜を備え、表示部ＤＹＰのラビング方向Ｄ１の終端側にはダミー表示画素ＤＰＸが配置され、駆動部ＧＤ、ＳＤは、ダミー表示画素ＤＰＸに逆転移防止信号を周期的に印加する手段、を有する液晶表示装置。【選択図】    図４
2008281645.tif 000002
【特許請求の範囲】
【請求項１】
互いに対向する第１基板および第２基板と、ＯＣＢモード液晶を含み前記第１基板および第２基板間に挟持されている液晶層と、マトリクス状に配置された複数の表示画素からなる表示部と、を有する液晶表示パネルと、
前記表示画素を駆動する駆動部と、
前記駆動部を制御する制御部と、を有する液晶表示装置であって、
前記第１基板上において前記複数の表示画素のそれぞれに対応して配置された画素電極と、
前記第２基板上において前記複数の画素電極に対向する対向電極と、
前記複数の画素電極および前記対向電極の上にそれぞれ配置され、ラビング処理によって前記液晶層に含まれる液晶分子の配向状態を制御する一対の配向膜と、を備え、
前記液晶表示パネルは、前記表示部の少なくとも前記配向膜のラビング方向の終端側に配置されたダミー表示画素を有し、
前記駆動部は、前記表示画素に映像信号と逆転移防止信号とを周期的に印加するとともに、前記ダミー表示画素に逆転移防止信号を周期的に印加する手段を有する液晶表示装置。
【請求項２】
前記ダミー表示画素は、前記表示部を囲むように配置されている請求項１記載の液晶表示装置。
【請求項３】
前記表示部は略矩形状であって、
前記ダミー表示画素は、前記表示部の少なくとも前記ラビング方向の終端側の端辺に沿って複数行に配置されている請求項１記載の液晶表示装置。
【請求項４】
前記駆動部は、１フレーム期間の前半で前記表示画素および前記ダミー表示画素に逆転移防止電圧を印加し、１フレーム期間の後半で前記複数の表示画素に映像信号を印加する手段を有する請求項１記載の液晶表示装置。
【請求項５】
前記第１基板は、前記複数の表示画素が配列され行のそれぞれに沿って延びる走査線と、
前記複数の表示画素が配列され列のそれぞれに沿って延びる信号線と、
前記ダミー表示画素が配置された領域において前記走査線と略平行に延びて配置されたダミー走査線と、
前記ダミー表示画素が配置された領域において前記信号線と略平行に延びて配置されたダミー信号線と、をさらに有し、
前記駆動部は、前記走査線および前記ダミー走査線が電気的に接続され、前記走査線および前記ダミー走査線を駆動するゲートドライバと、前記信号線および前記ダミー信号線が電気的に接続され、前記信号線および前記ダミー信号線を駆動するソースドライバと、をさらに有し、
前記ゲートドライバは、前記ダミー走査線と前記走査線のいずれかとを同じタイミングで駆動する手段を有する請求項１記載の液晶表示装置。
【請求項６】
前記ゲートドライバは、
逆転移防止信号印加用シフトレジスタと、
映像信号印加用シフトレジスタと、
前記逆転移防止信号印加用シフトレジスタおよび前記映像信号印加用シフトレジスタの出力信号が供給される否定積回路と、
前記否定積回路の出力信号が供給され、前記否定積回路の出力信号に応じて前記走査線に駆動信号を供給する第１ゲート回路と、
前記否定積回路の出力信号が供給され、前記否定積回路の出力信号に応じて前記ダミー走査線に駆動信号を供給する第２ゲート回路と、を有し、
前記否定積回路は、前記第１ゲート回路に出力信号を供給する第１否定積回路と、前記第１否定積回路のいずれかに入力される前記逆転移防止信号印加用シフトレジスタの出力信号と同じ信号が入力されるとともに、前記第２ゲート回路に出力信号を供給する第２否定積回路と、を有する請求項５記載の液晶表示装置。
【発明の詳細な説明】
【技術分野】
【０００１】
この発明は、液晶表示装置に関し、特に、アクティブマトリクス型の液晶表示装置に関する。
【背景技術】
【０００２】
一般に、液晶表示装置は画像が表示される表示部を備えた液晶表示パネルを有している。液晶表示パネルは、互いに対向する一対の基板を備えている。この一対の基板間には液晶層が挟持されている。
【０００３】
一方の基板は、略マトリクス状に配置された複数の画素電極を有している。他方の基板は、複数の画素電極の全てに対向する対向電極を備えている。複数の画素電極と対向電極との上には液晶を配向させるための一対の配向膜が配置されている。液晶の配向状態は、一対の配向膜面における液晶分子の配列を制御することによって得られる。液晶分子の配向を制御する方法として、例えば、ラビング法がある。ラビング法では、配向膜をラビング布等でラビングする。そうすると、ラビング処理によって液晶分子の長軸の平均方向が制御される。
【０００４】
液晶表示素子の表示方式として、ＯＣＢ（Optically-Compensated-Bent）モードが、高速応答及び広視野角の面から注目されている。ＯＣＢモードの液晶表示装置では、映像品位を良好にするために１フレームで逆転移防止信号と映像信号とに基づいて表示する駆動方法が適用される。この駆動方法を適用すると、液晶層では、配向膜のラビング方向と同一の方向に液晶分子の配向変化に伴うフローが発生する。
【０００５】
また、液晶表示装置の組立工程においてイオンが取り込まれる場合や、液晶表示装置を構成する例えばガラス基板等の材料自体がイオンを含有している場合がある。このイオンが存在する部分では、設計通りの液晶配向を得ることができず、表示ムラ等の表示不良が発生する場合があった。
【０００６】
従来、ＯＣＢモードの液晶表示装置において、液晶分子の配向変化によるフローによって、ビーズ等のスペーサや不純物イオンが移動する問題に対し、表示部を囲む周辺部に設けたイオントラップ電極に不純物イオンを寄せ集めて、表示ムラ等の表示不良が発生しない液晶表示装置を提供する発明が提案されている（特許文献１参照）。
【特許文献１】特開平９−５４３２５号公報
【発明の開示】
【発明が解決しようとする課題】
【０００７】
しかしながら、上記の発明では配向膜のラビング方向が考慮されておらず、ラビング方向に移動するイオンによる表示不良を効果的に抑制することが難しかった。また、周辺部において、液晶分子がベンド配向となる一定の直流電圧が液晶層に印加されると、液晶層の粘性も高くなる。
【０００８】
このことから、周辺部では液晶層の拡散も起こりにくくなり、液晶層のフローによって一方向に移動した不純物イオンが、周辺部にまで移動することなく、表示部の周辺部との境界近傍において凝集することがあった。
【０００９】
特に、表示部を囲む額縁領域が狭い液晶表示パネルでは、液晶表示パネル全体のイオン量に対して額縁領域が小さいために、長時間の駆動によってイオンが表示領域内まで広がってしまう場合があった。
【００１０】
イオンの凝集が発生した領域ではイオンによって液晶層の透過率-印加電圧特性が変化し、特に、表示部内で液晶層の透過率-印加電圧特性が変化した場合には、表示ムラ等として認識されることがあった。
【００１１】
本発明は、上記の問題点に鑑みて成されたものであって、液晶層中のイオンの不均一化による表示ムラ等の表示不良を抑制し、表示品位および信頼性の高いＯＣＢモードの液晶表示装置を提供することを目的とする。
【課題を解決するための手段】
【００１２】
本発明の第１態様による液晶表示装置は、互いに対向する第１基板および第２基板と、ＯＣＢモード液晶を含み前記第１基板および第２基板間に挟持されている液晶層と、マトリクス状に配置された複数の表示画素からなる表示部と、を有する液晶表示パネルと、前記表示画素を駆動する駆動部と、前記駆動部を制御する制御部と、を有する液晶表示装置であって、前記第１基板は、前記複数の表示画素のそれぞれに対応して配置された画素電極を有し、前記第２基板は、前記複数の画素電極に対向する対向電極を有し、前記複数の画素電極および前記対向電極の上にそれぞれ配置され、ラビング処理によって前記液晶層に含まれる液晶分子の配向状態を制御する一対の配向膜を備え、前記表示部の少なくとも前記配向膜のラビング方向の終端側には、ダミー表示画素が配置され、前記駆動部は、前記表示画素に映像信号と逆転移防止信号とを周期的に印加するとともに、前記ダミー表示画素に逆転移防止信号を周期的に印加する手段と、を有する。
【発明の効果】
【００１３】
この発明によれば、液晶層中のイオンの不均一化による表示ムラ等の表示不良を抑制し、表示品位および信頼性の高いＯＣＢモードの液晶表示装置を提供することができる。
【発明を実施するための最良の形態】
【００１４】
以下、本発明の第１実施形態に係る液晶表示装置について図面を参照して説明する。
【００１５】
本実施形態に係る液晶表示装置は、ＯＣＢモードの液晶表示装置であって、アレイ基板（図示せず）、対向基板（図示せず）、およびアレイ基板と対向基板とに挟持された液晶層ＬＱを備えた液晶表示パネルＰＮＬを有している。
【００１６】
図１に示すように、液晶表示パネルＰＮＬは、マトリクス状に配置された表示画素ＰＸからなる表示部ＤＹＰ、および表示部ＤＹＰを囲むように配置されたダミー表示画素ＤＰＸを備えている。カラー表示タイプの液晶表示装置では、表示部ＤＹＰには、表示画素ＰＸとして例えば、赤色表示画素、緑色表示画素、および青色表示画素等の各種表示画素が配置されている。
【００１７】
液晶表示装置は、表示画素ＰＸおよびダミー表示画素ＤＰＸを駆動する駆動部と、駆動部を制御するコントローラＣＴＲＬとをさらに有している。駆動部は、ゲートドライバＧＤおよびソースドライバＳＤを有している。
【００１８】
液晶表示パネルＰＮＬのアレイ基板には、表示部ＤＹＰにおいて、表示画素ＰＸの配列する行に沿って延びる走査線ＧＬと、表示画素ＰＸの配列する列に沿って延びる信号線ＳＬとが配置されている。
【００１９】
本実施形態に係る液晶表示装置は、例えばＶＧＡ（video graphics array）（横６４０ｘ３画素、縦４８０画素）であって、表示部ＤＹＰには４８０本の走査線（ＧＬ１〜ＧＬ４８０）と１９２０本の信号線（ＳＬ１〜ＳＬ１９２０）とが配置されている。
【００２０】
図１および図２に示すように、ダミー表示画素ＤＰＸが配置されている部分には、走査線ＧＬと略平行に延びるダミー走査線ＤＧＬと、信号線ＳＬと略平行に延びるダミー信号線ＤＳＬとが配置されている。
【００２１】
すなわち、本実施形態に係る液晶表示装置は、表示部の上部および下部に１行ずつ、表示部の左側と右側に１列ずつのダミー表示画素ＤＰＸが配置されている。したがって、表示部ＤＹＰの上部には、走査線ＧＬと略平行に延びるダミー走査線ＤＧＬ１が配置され、表示部ＤＹＰの下部には、走査線ＧＬと略平行に延びるダミー走査線ＤＧＬ２が配置されている。表示部ＤＹＰの左側には、信号線ＳＬと略平行に延びるダミー信号線ＤＳＬ１が配置され、表示部ＤＹＰの右側には、信号線ＳＬと略平行に延びるダミー信号線ＤＳＬ２が配置されている。
【００２２】
図２に示すように、走査線ＧＬあるいはダミー走査線ＤＧＬと、信号線ＳＬあるいはダミー信号線ＤＳＬとの交差部近傍には、画素スイッチＳＷが配置されている。画素スイッチＳＷは例えばスイッチング素子として薄膜トランジスタ（ＴＦＴ）を有している。
【００２３】
この画素スイッチＳＷのゲート電極は対応する走査線ＧＬもしくはダミー走査線ＤＧＬに電気的に接続されている。画素スイッチＳＷのソース電極は対応する信号線ＳＬあるいはダミー信号線ＤＳＬに電気的に接続されている。画素スイッチＳＷのドレイン電極は表示画素ＰＸあるいはダミー表示画素ＤＰＸのそれぞれに配置された画素電極ＰＥに電気的に接続されている。
【００２４】
走査線ＧＬおよびダミー走査線ＤＧＬ１、ＤＧＬ２はゲートドライバＧＤに電気的に接続されている。信号線ＳＬおよびダミー信号線ＤＳＬ１、ＤＳＬ２はソースドライバＳＤに電気的に接続されている。
【００２５】
ゲートドライバＧＤおよびソースドライバＳＤは、コントローラＣＴＲＬに制御されて、表示画素ＰＸに周期的に映像信号および逆転移防止信号を印加するとともに、ダミー表示画素ＤＰＸに周期的に逆転移防止信号を印加する。本実施形態に係る液晶表示装置では、表示画素ＰＸおよびダミー表示画素ＤＰＸには、逆転移防止信号として黒表示に対応した電圧Ｖｂが印加される。
【００２６】
図２に示すように、ゲートドライバＧＤは、映像信号用シフトレジスタＳＲ＿Ｓ（ＳＲ＿Ｓ１〜ＳＲ＿Ｓ４８０）、黒挿入用シフトレジスタＳＲ＿Ｋ（ＳＲ＿Ｋ１〜ＳＲ＿Ｋ４８０）、および第１ＮＡＮＤ回路Ｎ（Ｎ１〜Ｎ４８０）および第２ＮＡＮＤ回路ＮＤＴ、ＮＤＢを有している。
【００２７】
映像信号用シフトレジスタＳＲ＿Ｓは、コントローラＣＴＲＬから供給された映像信号用スタートパルスＳＳＴもしくは、前段映像信号用シフトレジスタの出力に応じて、コントローラＣＴＲＬからのクロック信号ＣＬＫに同期したハイ信号Ｈもしくはロー信号Ｌを第１ＮＡＮＤ回路Ｎに出力する。
【００２８】
黒挿入用シフトレジスタＳＲ＿Ｋは、コントローラＣＴＲＬから供給された黒挿入用スタートパルスＫＳＴもしくは前段黒挿入用シフトレジスタの出力信号に応じて、コントローラＣＴＲＬからのクロック信号ＣＬＫに同期したハイ信号Ｈもしくはロー信号Ｌを第１ＮＡＮＤ回路Ｎおよび第２ＮＡＮＤ回路ＮＤＴ、ＮＤＢに出力する。
【００２９】
すなわち、図２に示すように、黒挿入用シフトレジスタＳＲ＿Ｋ１の出力信号は、第１ＮＡＮＤ回路Ｎ１および第２ＮＡＮＤ回路ＮＤＴに入力される。黒挿入用シフトレジスタＳＲ＿Ｋ４８０の出力信号は、それぞれ、第１ＮＡＮＤ回路Ｎ４８０および第２ＮＡＮＤ回路ＮＤＢに入力される。
【００３０】
第１ＮＡＮＤ回路Ｎは、映像信号用シフトレジスタＳＲ＿Ｓおよび黒挿入用シフトレジスタＳＲ＿Ｋの出力信号とハイ信号Ｈとの否定論理積を第１ゲート回路Ｇ（Ｇ１〜Ｇ４８０）に出力する。第２ＮＡＮＤ回路ＮＤＴ、ＮＤＢは、黒挿入用シフトレジスタＳＲ＿Ｋ１、ＳＲ＿Ｋ４８０の出力信号とハイ信号Ｈとの否定論理積を第２ゲート回路ＤＧ１、ＤＧ２へ出力する。
【００３１】
第１ゲート回路Ｇ、および第２ゲート回路ＤＧは、入力された信号がハイ信号Ｈの時に、画素スイッチＳＷをオン状態（ソース−ドレイン間導通状態）とする電圧Ｖｇｏｎを出力する。第１ゲート回路Ｇ、および第２ゲート回路ＤＧは、入力された信号がロー信号Ｌの時に、画素スイッチＳＷをオフ状態（ソース−ドレイン間非導通状態）とする電圧Ｖｇｏｆｆを出力する。
【００３２】
信号線駆動回路ＳＤは、コントローラＣＴＲＬに制御されて、所定のタイミングで、それぞれの信号線ＳＬにソース信号Ｓ（Ｓ１〜Ｓ１９２０）として映像信号もしくは逆転移防止信号を供給する。また、信号線駆動回路ＳＤは、コントローラに制御されて、所定のタイミングで、ダミー信号線ＤＳＬ１、ＤＳＬ２に逆転移防止信号を供給する。
【００３３】
また、対向基板上には、複数の画素電極ＰＥと対向するように対向電極（図示せず）が配置されている。複数の画素電極および対向電極上には一対の配向膜（図示せず）が配置されている。この一対の配向膜は所定の方向に向かってラビング処理され、液晶層ＬＱの液晶分子の配向状態を制御している。液晶分子は、その長軸が概ね配向膜のラビング方向に従うように配向する。本実施形態では、配向膜は図１に示すＤ１方向にラビング処理が成されている。
【００３４】
次に、上記の液晶表示装置の動作について図面を参照して以下に説明する。本実施形態に係る液晶表示装置では、液晶表示装置の駆動方法としてカラム反転駆動を行うとともに、１フレーム期間の前半で逆転移防止のための黒挿入駆動を行い、１フレーム期間の後半で映像信号書込みを行う。
【００３５】
すなわち、図３に示すように、１フレーム期間の前半で走査線駆動回路ＧＤの黒挿入用シフトレジスタＳＲ＿Ｋが、クロック信号ＣＬＫに同期して、ハイ信号Ｈを第１ゲート回路Ｇ、および第２ゲート回路ＤＧに順次出力する。第１ゲート回路Ｇ、および第２ゲート回路ＤＧは、ハイ信号Ｈが入力されたタイミングで走査線ＧＬおよびダミー走査線ＤＧＬにオン電圧Ｖｇｏｎを出力する。
【００３６】
信号線駆動回路ＳＤは、１フレーム期間の前半で信号線ＳＬおよびダミー信号線ＤＳＬに逆転移防止電圧として黒表示に対応した電圧Ｖｂを印加する。したがって、この期間では、走査線ＧＬあるいはダミー走査線ＤＧＬに印加されたオン電圧Ｖｇｏｎによってソース−ドレイン間が導通した画素スイッチＳＷを介して、画素電極ＰＥに電圧Ｖｂが書き込まれる。
【００３７】
１フレーム期間の後半では、走査線駆動回路ＧＤの映像信号用シフトレジスタＳＲ＿Ｓが、クロック信号ＣＬＫに同期して、ハイ信号Ｈを第１ゲート回路Ｇに順次出力する。第１ゲート回路Ｇは、ハイ信号Ｈが入力されたタイミングで走査線ＧＬにオン電圧Ｖｇｏｎを出力する。
【００３８】
信号線駆動回路ＳＤは、１フレーム期間の後半で信号線ＳＬに映像信号Ｖｓを印加する。したがって、この期間では、走査線ＧＬに印加されたオン電圧Ｖｇｏｎによってソース−ドレイン間が導通した画素スイッチＳＷを介して、画素電極ＰＥに電圧Ｖｓが書き込まれる。
【００３９】
本実施形態に係る液晶表示装置の場合、各フレーム期間の前半では、図３に示すように、ダミー走査線ＤＧＬ１は、走査線ＧＬ１が駆動されるタイミングと同時に駆動される。ダミー走査線ＤＧＬ２は、走査線ＧＬ４８０が駆動されるタイミングと同時に駆動される。
【００４０】
すなわち、図２に示したように、黒挿入用シフトレジスタＳＲ＿Ｋ１の出力は第１ゲート回路Ｇ１、および第２ゲート回路ＤＧ１に、黒挿入用シフトレジスタＳＲ＿Ｋ４８０の出力は第１ゲート回路Ｇ４８０、および第２ゲート回路ＤＧ２にそれぞれ入力される。
【００４１】
したがって、第２ゲート回路ＤＧ１と第１ゲート回路Ｇ１とは同時に電圧Ｖｇｏｎを出力し、第２ゲート回路ＤＧ２と第１ゲート回路Ｇ４８０とは同時に電圧Ｖｇｏｎを出力することになる。そのため、本実施形態に係る液晶表示装置では、４８０本の走査線ＧＬを走査する期間と同一の期間で、ダミー表示画素ＤＰＸを含む全ての表示画素ＰＸ、ＤＰＸに電圧Ｖｂを充電することができる。
【００４２】
各フレーム期間の後半では、表示画素ＰＸには映像信号Ｖｓが書き込まれる、映像信号用のＳＲ（ＳＲ＿Ｓ１〜１９２０）の出力信号がクロック信号ＣＬＫに同期して順次ロー信号Ｌとなり、走査線ＧＬ１〜ＧＬ４８０が順次駆動されることになる。
【００４３】
しかしながら、この期間においては黒挿入用シフトレジスタＳＲ＿Ｋ１および黒挿入用シフトレジスタＳＲ＿Ｋ４８０は常にハイ信号Ｈであるため、第２ゲート回路ＤＧ１および第２ゲート回路ＤＧ２は、常にオフ信号Ｖｇｏｆｆを出力する。したがって、この期間において、第２ゲート回路ＤＧ１および第２ゲート回路ＤＧ２に接続されているダミー表示画素ＤＰＸでは、黒表示に対応した電圧Ｖｂが保持される。
【００４４】
上記のように、液晶表示装置に黒挿入駆動を適用した場合には、表示画素ＰＸには映像信号Ｖｓと逆転移防止信号（黒表示に対応した信号）Ｖｂとに基づいて、１フレーム期間内で異なる信号が交互に印加される。
【００４５】
つまり、画像を表示するタイミングでは映像信号Ｖｓに基づき、液晶分子は白表示と黒表示との間の配向状態となりうる。一方、黒挿入のタイミングでは逆転移防止信号に基づき、液晶分子は黒表示と同様の配向状態となる。
【００４６】
このように、液晶層ＬＱに映像信号を印加したときと逆転移防止信号を印加したときとで液晶分子の配向状態が変化する。この液晶分子の配向状態の変化を繰り返すことによって、液晶層ＬＱにはラビング方向Ｄ１にフローが発生する。
【００４７】
液晶層ＬＱ内に、例えばガラス基板等に含まれていた不純物がイオンとなって存在する場合、このイオンは液晶層ＬＱに発生するフローに従ってラビング方向Ｄ１に移動する。
【００４８】
本実施形態に係る液晶表示装置では、上記のように液晶表示装置を駆動することによって、図１のＡ−Ａ´線における液晶層の断面の一例を示す図４に示すように、表示部ＤＹＰのラビング方向Ｄ１の終端側に移動したイオンを、表示部ＤＹＰのさらに外側に配置されているスプレイ配向領域まで移動させることができる。
【００４９】
すなわち、上記のように、表示部ＤＹＰの周囲に配置されたダミー表示画素ＤＰＸに周期的に逆転移防止電圧が印加されることによって、表示部ＤＹＰからダミー表示画素ＤＰＸを介してスプレイ領域に向かうフローが発生する。このことによって、表示部ＤＹＰのラビング方向Ｄ１の終端側に集まったイオンをスプレイ領域に向かって移動させることができる。
【００５０】
また、上記のようにダミー表示画素ＰＸを駆動することによって、表示部ＤＹＰの周囲に表示部ＤＹＰから外側に向かう液晶のフローが生じるため、例えば、拡散によってスプレイ領域から表示部ＤＹＰ側へイオンが移動することを防止することができる。
【００５１】
従って、本実施形態に係る液晶表示装置によれば、イオン凝集による表示ムラを抑制し、表示品位および信頼性の高いＯＣＢモードの液晶表示装置を提供することができる。
【００５２】
なお、ダミー信号線ＤＳ１に接続されている表示画素は１フレームに少なくとも１度逆転移防止電圧として電圧Ｖｂが印加されればよく、映像表示期間中も黒表示することが望ましいため、図３で示したように駆動することが望ましい。
【００５３】
次に本発明の第２実施形態に係る液晶表示装置について図面を参照して以下に説明する。なお、以下の説明において、上述の第１実施形態に係る液晶表示装置と同様の構成については、同一の符号を付して説明を省略する。
【００５４】
図５に示すように、本実施形態に係る液晶表示装置は、ダミー表示画素ＤＰＸが複数行に配置されている。図５に示す場合では、ダミー表示画素ＤＰＸは２行に配置されている。表示部ＤＹＰには、ダミー表示画素ＤＰＸが配置されている行に沿って、走査線ＳＬと略平行に延びるダミー走査線ＤＧＬ１、ＤＧＬ２が配置されている。
【００５５】
走査線駆動回路ＧＤでは、図５に示すように、第２ＮＡＮＤ回路ＮＤＴ１の出力信号は、２つの第２ゲート回路ＤＧ１、ＤＧ２に供給されている。従って、ダミー走査線ＤＧＬ１、ＤＧＬ２は、図６に示すように、各フレーム期間の前半において、走査線ＧＬ１が駆動されるタイミングと同時に駆動される。
【００５６】
上記のように、複数行のダミー表示画素ＤＰＸを配置すると、上述の第１実施形態に係る液晶表示装置と同様の効果が得られるとともに、より効果的に拡散によってスプレイ領域から表示部ＤＹＰ側へのイオンの移動を防止することができる。
【００５７】
次に本発明の第３実施形態に係る液晶表示装置について図面を参照して以下に説明する。本実施形態に係る液晶表示装置は、上述の第２実施形態に係る液晶表示装置と同様に、ダミー表示画素ＤＰＸが複数行に配置されている。図７に示す場合では、ダミー表示画素ＤＰＸは２行に配置されている。表示部ＤＹＰには、ダミー表示画素ＤＰＸが配置されている行に沿って、走査線ＳＬと略平行に延びるダミー走査線ＤＧＬ１、ＤＧＬ２が配置されている。
【００５８】
本実施形態に係る液晶表示装置のゲートドライバＧＤは、第２ゲート回路ＤＧ１に出力信号を供給する第２ＮＡＮＤ回路ＮＤＴ１、および、第２ゲート回路ＤＧ２に出力信号を供給する第２ＮＡＮＤ回路ＮＤＴ２を有している。
【００５９】
第２ＮＡＮＤ回路ＮＤＴ１には、黒挿入用シフトレジスタＳＲ＿Ｋ１の出力が供給される。第２ＮＡＮＤ回路ＮＤＴ２には、黒挿入用シフトレジスタＳＲ＿Ｋ２の出力が供給される。
【００６０】
従って、図８に示すように、ダミー走査線ＤＧＬ１は各フレームの前半において、走査線ＧＬ１が駆動されるタイミングと同時に駆動される。ダミー走査線ＤＧＬ２は、各フレーム期間の前半において、走査線ＧＬ２が駆動されるタイミングと同時に駆動される。
【００６１】
上記のように、複数行のダミー表示画素ＤＰＸを配置すると、上述の第１実施形態に係る液晶表示装置と同様の効果が得られるとともに、より効果的に拡散によってスプレイ領域から表示部ＤＹＰ側へのイオンの移動を防止することができる。
【００６２】
なお、この発明は、上記実施形態そのままに限定されるものではなく、実施段階ではその要旨を逸脱しない範囲で構成要素を変形して具体化できる。例えば、上述の実施形態に係る液晶表示装置では、表示部の周囲を囲むようにダミー表示画素ＤＰＸが配置されていたが、ダミー表示画素ＤＰＸは表示部ＤＹＰの少なくともラビング方向Ｄ１の終端側に配置されていれば良い。その場合であっても、イオンの凝集による表示ムラの発生を抑制することができる。
【００６３】
また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合わせてもよい。
【図面の簡単な説明】
【００６４】
【図１】本発明の一実施形態に係る液晶表示装置の液晶表示装置の構成例を概略的に示す図。
【図２】図１に示す液晶表示装置の液晶表示パネルおよび駆動部の構成例を概略的に示す図。
【図３】図１および図２に示す液晶表示装置の駆動方法の一例を説明するためのタイミングチャート。
【図４】図１に液晶表示パネルの液晶層の線Ａ−Ａ´における断面の一例を概略的に示す図。
【図５】本発明の第２実施形態に係る液晶表示装置の液晶表示パネルおよび駆動部の構成例を概略的に示す図。
【図６】図５に示す液晶表示装置の駆動方法の一例を説明するためのタイミングチャート。
【図７】本発明の第３実施形態に係る液晶表示装置の液晶表示パネルおよび駆動部の構成例を概略的に示す図。
【図８】図７に示す液晶表示装置の駆動方法の一例を説明するためのタイミングチャート。
【符号の説明】
【００６５】
ＰＮＬ…液晶表示パネル、ＰＸ…表示画素、ＤＹＰ…表示部、ＤＰＸ…ダミー表示画素、ＣＴＲＬ…コントローラ、ＧＤ、ＳＤ…駆動部（ゲートドライバ、ソースドライバ）、Ｄ１…ラビング方向
【図１】
2008281645.tif 000003
【図２】
2008281645.tif 000004
【図３】
2008281645.tif 000005
【図４】
2008281645.tif 000006
【図５】
2008281645.tif 000007
【図６】
2008281645.tif 000008
【図７】
2008281645.tif 000009
【図８】
2008281645.tif 000010